(57)【要約】    【構成】  番組記録装置１０のチューナ１４は、放送番組を受信する。受信された放送番組の音声および映像は、スピーカ２６およびモニタ３２にそれぞれ出力される。また、受信された放送番組は、記録再生回路３６に記録される。鑑賞者検出器４６は、放送番組を鑑賞する鑑賞者がモニタ３２の前方範囲から外れたか否かを判別する。判別結果が肯定的であるとき、記録再生回路３６は起動する。したがって、来客等により鑑賞者が番組記録装置１０の前から離れたときに、鑑賞していた放送番組が自動的に記録される。  【効果】  記録操作の一連の手間が省けるため、来客を待たせることもなく、不在期間中の放送番組をあとで鑑賞できる。【選択図】  図１
2006074434.tif 000002
【特許請求の範囲】
【請求項１】
放送番組を受信する受信手段、
前記受信手段によって受信された放送番組を出力する出力手段、
前記受信手段によって受信された放送番組を記録媒体に記録する記録手段、
前記出力手段によって出力される放送番組を鑑賞する鑑賞者が所定範囲から外れたか否かを判別する判別手段、および
前記判別手段の判別結果が肯定的であるとき前記記録手段を起動する起動手段を備える、番組記録装置。
【請求項２】
前記出力手段によって出力される放送番組の開始時刻に前記所定範囲に存在する人物を前記鑑賞者として決定する第１決定手段をさらに備える、請求項１記載の番組記録装置。
【請求項３】
前記受信手段は複数のチャネルを通してそれぞれ放送される複数の放送番組のいずれか１つを受信し、
チャネル切換操作が行われたときに前記所定範囲に存在する人物を前記鑑賞者として決定する第２決定手段をさらに備える、請求項１または２記載の番組記録装置。
【請求項４】
前記受信手段をオンするオン操作を受け付けたときに前記所定範囲に存在する人物を前記鑑賞者として決定する第３決定手段をさらに備える、請求項１ないし３のいずれかに記載の番組記録装置。
【請求項５】
前記受信手段によって受信される放送番組のジャンルを検出する検出手段、および
前記鑑賞者となり得る複数の人物の各々が好むジャンルを登録する第１登録手段をさらに備え、
前記検出手段によって検出されたジャンルと前記第１登録手段によって登録されたジャンルとに基づいて前記鑑賞者を決定する第４決定手段をさらに備える、請求項１ないし４のいずれかに記載の番組記録装置。
【請求項６】
放送受信装置の提示場所から一旦離れた視聴者が、同一番組中に再び提示場所に戻ったことを検出した場合には、記録を停止して放送中の番組を提示するか、記録を継続して放送中の番組を提示するか、あるいは記録を停止して直前まで記録した番組の再生を開始するか、あるいは番組の記録を継続しながら記録開始時点から再生を自動的に開始することを特徴とする、放送受信／記録再生装置。
【請求項７】
放送受信装置の提示場所から一旦離れた視聴者が、番組中に再び提示場所に戻ったことを検出した場合には、記録を停止して放送中の番組を提示するか、記録を継続して放送中の番組を提示するか、あるいは記録を停止して直前まで記録した番組の再生を開始するか、あるいは番組の記録を継続しながら記録開始時点から再生画面を提示するのかを、視聴者に問合せを行い選択させることを特徴とする、放送受信／記録再生装置。
【請求項８】
離席検出装置を、放送受信／記録再生本体を遠隔制御するリモートコントローラに内蔵することを特徴とする、放送受信／記録再生装置。
【請求項９】
自動的に記録を開始した番組等には自動的にインデックスが付けられ、意図的に記録を開始した番組等と分けてタイトル一覧が表示できることを特徴とする、放送受信／記録再生装置。
【請求項１０】
自動的に記録が開始した番組の再生が全て完了した場合には、自動的に当該番組を記録媒体上から消去することを特徴とした放送受信／記録再生装置。
【発明の詳細な説明】
【技術分野】
【０００１】
この発明は、番組記録装置に関し、特にたとえば、放送番組を受信する機能および放送番組を記録する機能を有する、番組記録装置に関する。
【背景技術】
【０００２】
従来の番組記録装置では、鑑賞中の番組を記録したい場合、鑑賞者が番組記録装置の電源を入れて、チャネル設定を行った後、記録開始の操作をする。鑑賞者が番組鑑賞中に用件が発生したために離席しなければならないとき、鑑賞中の番組を記録することによって、あとで不在期間中の番組を鑑賞することができる。
【発明の開示】
【発明が解決しようとする課題】
【０００３】
しかし、従来技術では、放送番組の鑑賞中に来客や電話着信等の対応が急に発生した場合、番組記録の一連の動作は手間がかかるため、来客や電話の相手を待たせるおそれがある。
【０００４】
それゆえに、この発明の主たる目的は、記録操作の手間を省くことができ、かつ不在期間中の放送番組を鑑賞することができる、番組記録装置を提供することである。
【課題を解決するための手段】
【０００５】
請求項１の発明に従う番組記録装置は、放送番組を受信する受信手段、受信手段によって受信された放送番組を出力する出力手段、受信手段によって受信された放送番組を記録媒体に記録する記録手段、出力手段によって出力される放送番組を鑑賞する鑑賞者が所定範囲から外れたか否かを判別する判別手段、および判別手段の判別結果が肯定的であるとき記録手段を起動する記録手段を備える。
【０００６】
受信手段は、放送番組を受信する。出力手段は、受信手段によって受信された放送番組を出力する。記録手段は、受信手段によって受信された放送番組を記録媒体に記録する。判別手段は、出力手段によって出力される放送番組を鑑賞する鑑賞者が所定範囲から外れたか否かを判別する。記録手段は、判別手段の判別結果が肯定的であるとき記録手段を起動する。
【０００７】
したがって、来客等により鑑賞者が番組記録装置の前から離れたときに、自動的に鑑賞していた放送番組が記録される。これによって、不在期間中の放送番組をあとで鑑賞できる。また、記録操作の一連の手間が省けて来客を待たせることはなくなる。
【０００８】
請求項２の発明に従う番組記録装置は、請求項１に従属し、出力手段によって出力される放送番組の開始時刻に所定範囲に存在する人物を前記鑑賞者として決定する第１決定手段をさらに備える、請求項１記載の番組記録装置。これによって、放送中の番組に興味があると想定される鑑賞者が離席したときに自動記録が開始される。
【０００９】
請求項３の発明に従う番組記録装置は、請求項１または２に従属し、受信手段は複数のチャネルを通してそれぞれ放送される複数の放送番組のいずれか１つを受信し、チャネル切換操作が行われたときに所定範囲に存在する人物を前記鑑賞者として決定する第２決定手段をさらに備える。これによって、放送中の番組に興味があると想定される鑑賞者が離席したときに自動記録が開始される。
【００１０】
請求項４の発明に従う番組記録装置は、請求項１ないし３のいずれかに従属し、受信手段をオンするオン操作を受け付けたときに所定範囲に存在する人物を鑑賞者として決定する第３決定手段をさらに備える。これによって、放送中の番組に興味があると想定される鑑賞者が離席したときに自動記録が開始される。
【００１１】
請求項５の発明に従う番組記録装置は、請求項１ないし４のいずれかに従属し、受信手段によって受信される放送番組のジャンルを検出する検出手段、および鑑賞者となり得る複数の人物の各々が好むジャンルを登録する第１登録手段をさらに備え、検出手段によって検出されたジャンルと第１登録手段によって登録されたジャンルとに基づいて鑑賞者を決定する第４決定手段をさらに備える。これによって、放送中の番組に興味があると想定される鑑賞者が離席したときに自動記録が開始される。
【００１２】
請求項６の発明に従う放送受信／記録再生装置は、放送受信装置の提示場所から一旦離れた視聴者が、同一番組中に再び提示場所に戻ったことを検出した場合には、記録を停止して放送中の番組を提示するか、記録を継続して放送中の番組を提示するか、あるいは記録を停止して直前まで記録した番組の再生を開始するか、あるいは番組の記録を継続しながら記録開始時点から再生を自動的に開始することを特徴とする。
【００１３】
請求項７の発明に従う放送受信／記録再生装置は、放送受信装置の提示場所から一旦離れた視聴者が、番組中に再び提示場所に戻ったことを検出した場合には、記録を停止して放送中の番組を提示するか、記録を継続して放送中の番組を提示するか、あるいは記録を停止して直前まで記録した番組の再生を開始するか、あるいは番組の記録を継続しながら記録開始時点から再生画面を提示するのかを、視聴者に問合せを行い選択させることを特徴とする。
【００１４】
請求項８の発明に従う放送受信／記録再生装置は、離席検出装置を、放送受信／記録再生本体を遠隔制御するリモートコントローラに内蔵することを特徴とする。
【００１５】
請求項９の発明に従う放送受信／記録再生装置は、自動的に記録を開始した番組等には自動的にインデックスが付けられ、意図的に記録を開始した番組等と分けてタイトル一覧が表示できることを特徴とする。
【００１６】
請求項１０の発明に従う放送受信／記録再生装置は、自動的に記録が開始した番組の再生が全て完了した場合には、自動的に当該番組を記録媒体上から消去することを特徴とした。
【発明の効果】
【００１７】
この発明によれば、放送番組鑑賞中に急な用事が発生し、中座しなければならない場合でも、自動的に番組の記録が開始される。したがって、不在期間中の放送番組をあとで鑑賞することができる。また、記録操作を行う手間が省けるので、急な用件に迅速に対応できる。
【００１８】
この発明の上述の目的，その他の目的，特徴および利点は、図面を参照して行う以下の実施例の詳細な説明から一層明らかとなろう。
【発明を実施するための最良の形態】
【００１９】
図１を参照して、この実施例の番組記録装置１０は、ディジタル放送受信用のアンテナ１２を含み、このアンテナ１２によって受信されたディジタル放送信号がチューナ１４に与えられる。チューナ１４は、所望のトランスポンダから出力された放送データを選択する。選択された放送データは、復調器１６で復調されることによって、複数のトランスポートパケットからなるトランスポートストリームとなる。デマルチプレクサ（ＤＥＭＵＸ）１８は、出力されたトランスポートストリームから音声パケットおよび映像パケット、ＥＰＧ(Electronic Program Guide)を抽出する。ＡＶセレクタ２０は、抽出された音声パケットおよび映像パケットを音声デコーダ２２および映像デコーダ２８にそれぞれ与える。音声デコーダ２２は、与えられた音声パケットをデコードして音声データを生成する。生成された音声データは、Ｄ／Ａ変換器２４によってアナログ信号である音声信号に変換され、変換された音声信号はスピーカ２６に与えられる。この結果、所望のチャネルで放送される番組の音声がスピーカ２６から出力される。
【００２０】
映像デコーダ２８は、与えられた映像パケットをデコードして映像データを生成する。生成された映像データは、ＮＴＳＣエンコーダ３０によってコンポジット映像信号に変換され、変換されたコンポジット映像信号はモニタ３２に与えられる。この結果、所望のチャネルで放送される番組の映像が、モニタ３２の画面に表示される。
【００２１】
番組情報取得回路３４は、ＤＥＭＵＸ１８から抽出されたＥＰＧを取得する。ＥＰＧは、番組開始時刻および番組終了時刻も含む。記録再生回路３６は、ＤＥＭＵＸ１８から抽出された音声パケットおよび映像パケットを記録する。記録された音声パケットおよび映像パケットをＡＶセレクタ２０に与えることによって、記録された番組の音声および映像が再生される。リモートコントローラ送信回路４０は、本体を遠隔操作するための信号をリモートコントローラ受信回路３８に送信する。リモートコントローラ受信回路３８は、リモートコントローラ送信回路４０からの信号を受信し、復調する。操作入力回路４２は、操作入力を行う。ＣＰＵ４４は、番組記録装置１０の制御を行い、ＲＡＭおよびＲＯＭを含む。鑑賞者検出器４６は、カメラ（図示せず）を含みモニタ３２の前方範囲内にいる鑑賞者の在非および動きを常時監視する。なお、鑑賞者がモニタ３２の前方範囲内にいても、インターホンのチャイムや電話機の呼び出し音により鑑賞者が大きく動いたときは、鑑賞を継続できなくなったと判断しＣＰＵ４４に不在通知をしてもよい。
【００２２】
図２を参照して、人物データが不揮発性メモリ４８に予め登録される。鑑賞者検出器４６によってモニタ３２の前方範囲内にいる人物の特徴が抽出され、不揮発性メモリ４８に記録される。特徴として捉える要素としては、顔の輪郭および色、目、鼻、口の位置関係、体の大きさ、鑑賞するときに通常座る位置などが考えられる。記録された人物の名前および所望の番組のジャンルもまた不揮発性メモリ４８に記録される。ジャンルとしては、ニュース、ドラマ、スポーツなどが記録される。鑑賞者検出器４６は、番組鑑賞中に検出された鑑賞者と登録されている人物が一致するか否か判断する。これによって、鑑賞者を識別することができる。
【００２３】
図３を参照して、操作入力回路４２によって、電源オンの入力またはチャネル切換の入力がされたとき、それぞれの入力時刻がＣＰＵ４４に含まれるＲＡＭ４４ａに記録される。ＲＡＭ４４ａには、番組情報取得回路３４から取得された番組開始時刻および番組終了時刻も記録される。
【００２４】
図４を参照して、鑑賞者検出器４６によって鑑賞者が検出された（着席）時刻および検出されなくなった（離席）時刻が、ＣＰＵ４４に含まれるＲＡＭ４４ｂに記録される。検出された鑑賞者が不揮発性メモリ４８に登録されている人物と一致する鑑賞者（登録鑑賞者）であるときは、この登録鑑賞者の名前がＣＰＵ４４に含まれるＲＡＭ４４ｂに記録される。未登録の鑑賞者は、“Ｚ”として記録される。
【００２５】
図６を参照して、今ここで来客があり、番組鑑賞中の登録鑑賞者が離席するとき、番組取得回路３４からＥＰＧが取得される。離席した登録鑑賞者（注目鑑賞者）がケース１ないし３に該当するとき、記録再生回路３６によって鑑賞番組の記録が自動的に開始される。ここで、ケース１は、電源を入れたときから登録鑑賞者が着席している場合である。ケース２は、番組が開始される前から登録鑑賞者が着席している場合である。ケース３は、チャネル切換がされる前から登録鑑賞者が着席している場合である。なお、自動記録がされるとき、付加情報として、自動記録を開始した旨のインデックス信号および日時も記録される。
【００２６】
注目鑑賞者が戻ってきて着席したとき、図５を参照して、モニタ３２にメニュー選択画面が提示される。第１メニュー選択画面は、注目鑑賞者が離席中に番組が終了し、記録が停止したときに提示される。第１メニュー選択画面の第１項目は、自動記録した番組を再生するという選択である。第１メニュー選択画面の第２項目は、受信中の放送番組を観るという選択である。第２メニュー選択画面は、注目鑑賞者が戻ってきたときもなお自動記録が継続している場合に提示される。第２メニュー選択画面の第１項目は、自動記録をそのまま継続しながら記録開始点から再生する、いわゆる追っかけ再生という選択である。この項目を選択すると、再生速度を等倍速からｎ倍速のいずれかに選択できる画面（図示せず）が提示される。第２メニュー選択画面の第２項目は、自動記録を番組の途中で停止させ、記録した番組を再生するという選択である。第２メニュー選択画面の第３項目は、自動記録をそのまま継続し、受信中の放送番組を観るという選択である。第２メニュー選択画面の第４項目は、自動記録を番組の途中で停止させ、受信中の放送番組を観るという選択である。
【００２７】
なお、注目鑑賞者が着席したときにいずれのモードに遷移するかは、予め設定するようにしてもよい。
【００２８】
全ての鑑賞者が離席したとき、ＣＰＵ４４は節電モードを設定しスピーカ２６およびモニタ３２の電源供給を止める。少なくとも１人の鑑賞者が戻ってきて着席したとき、ＣＰＵ４４は節電モードを解除しスピーカ２６およびモニタ３２の電源供給を再開する。
【００２９】
ＣＰＵ４４は、図７〜１２に示す制御プログラムを実行する。これらの制御プログラムはＣＰＵ４４に含まれるＲＯＭに記憶されている。なお、図７〜９の鑑賞者認識タスクと図１０〜１２の番組の記録制御タスクは並列的に動作する。
【００３０】
図７を参照して、ステップＳ１では電源が入れられ、ステップＳ３では電源が入れられたときの時刻がＣＰＵ４４のＲＡＭ４４ａに記録される。ステップＳ５では、鑑賞者検出器４６が監視するモニタ３２の前方範囲内に鑑賞者が存在するか否か判別し、ＹＥＳであればステップＳ７に進む。
【００３１】
ステップＳ７では、図９を参照して、鑑賞者認識処理が行われる。まず、ステップＳ３１で鑑賞者認識処理が起動したときの時刻がＣＰＵ４４のＲＡＭ４４ｂに記録される。ステップＳ３３では、鑑賞者検出器４６によって着席している鑑賞者の特徴を抽出する。ステップＳ３５では、抽出された鑑賞者の特徴が不揮発性メモリ４８に登録されている人物の特徴と一致するか否か判別する。ＹＥＳであれば、ステップＳ３７で登録鑑賞者として人物名がＣＰＵ４４のＲＡＭ４４ｂに記録される。判別結果がＮＯであれば、ステップＳ３９で未登録の鑑賞者ＺとしてＣＰＵ４４のＲＡＭ４４ｂに記録される。
【００３２】
鑑賞者認識処理が終了すると図７に戻って、ステップＳ９で電源のオフコマンドがあるか否か判別する。ＹＥＳであればステップＳ１１で電源をオフしてタスクを終了する。判別結果がＮＯであれば、ステップＳ１３でチャネル切換があるか否か判別する。ＹＥＳであれば、ステップＳ１５でチャネル切換したときの時刻がＣＰＵ４４のＲＡＭ４４ａに記録される。ステップＳ１７では、鑑賞者検出器４６によって新たに検出された鑑賞者が存在するか否か判別し、ＹＥＳであればステップＳ１９に進む。ステップＳ１９では、ステップＳ７と同様に図９を参照して、鑑賞者認識処理が行われる。
【００３３】
ステップＳ１９の鑑賞者認識処理が終了すると図８を参照して、ステップＳ２１に進む。ステップＳ２１では、鑑賞者の離席通知があった否か判別し、ＹＥＳであればステップＳ２３に進む。ステップＳ２３では、離席した鑑賞者の名前および離席したときの時刻がＣＰＵ４４のＲＡＭ４４ｂに記録される。ステップＳ２５では、離席した鑑賞者が不揮発性メモリ４８に登録されている人物と一致するか否か判別する。ＹＥＳであればステップＳ２７で番組の記録中か否か判別する。判別結果がＮＯであれば、ステップＳ２９で記録制御タスクを起動させる。
【００３４】
記録制御タスクは図１０を参照して、まずステップＳ４１で番組情報取得回路３４から取得された番組開始時刻および番組終了時刻がＣＰＵ４４のＲＡＭ４４ａに記録される。
【００３５】
ステップＳ４３では、注目鑑賞者が電源を入れたときから着席しているか否か判別する。図３を参照すると、１７時０５分に電源が入れられたことがＲＡＭ４４ａに記憶されている。一方、図４を参照すると、鑑賞者Ｂが１７時５分に着席していることがＲＡＭ４４ａに記憶されている。したがって、鑑賞者Ｂが離席したとき、ステップＳ４３の判断はＹＥＳに該当する。
【００３６】
ステップＳ４５では、注目鑑賞者が鑑賞中の番組が開始したときから着席しているか否か判別する。図３を参照すると、１９時００分に番組が開始したことがＲＡＭ４４ａに記憶されている。一方、図４を参照すると、鑑賞者Ｂ、ＤおよびＺが１９時００分の時点で着席している。しかし、鑑賞者Ｚは注目鑑賞者ではない。したがって、鑑賞者ＢまたはＤが離席したとき、ステップＳ４５の判断はＹＥＳに該当する。
【００３７】
ステップＳ４７では、注目鑑賞者が番組のチャネル切換されたときから着席しているか否か判別する。図３を参照すると、１７時３０分にチャネル切換されたことがＲＡＭ４４ａに記憶されている。一方、図４を参照すると、鑑賞者ＡおよびＢが１７時３０分の時点で着席している。したがって、鑑賞者ＡまたはＢが離席したとき、ステップＳ４７の判断はＹＥＳに該当する。
【００３８】
ステップＳ４９では、受信中の放送番組のジャンルと注目鑑賞者の設定ジャンルが一致するか否か判別する。図２を参照すると、注目鑑賞者がＡの場合、設定ジャンルはニュースである。一方、現在受信中の番組のジャンルがニュースであれば、鑑賞者Ａが離席したとき、ステップＳ４９の判断はＹＥＳに該当する。
【００３９】
ステップＳ４３ないしＳ４９の判別結果がいずれか１つがＹＥＳであれば、図１１に示すステップＳ５１に進み、受信中の番組の自動記録が開始される。判別結果がいずれの場合もＮＯであるとき、タスクは終了する。
【００４０】
ステップＳ５３では、鑑賞者が全くいないか否か判別し、ＹＥＳであれば、ステップＳ６４で一定時間待機した後にステップＳ６５で節電モードに入り、スピーカ２６およびモニタ３２（映像／音声出力系統）の電源供給を止める。ステップＳ５５では、自動記録中の番組が終了したか否か判別し、ＹＥＳであればステップＳ６７で記録を停止する。番組終了時刻は、図３を参照して、ステップＳ４１でＲＡＭ４４ａに記憶された時刻を参照する。ただし、番組の放送時間が延長されるのを考慮して、番組終了時刻を番組情報取得回路３４によって再度確認するようにしてもよい。
【００４１】
ステップＳ５７では、鑑賞者の着席通知があるか否か判別し、ＹＥＳであればステップＳ５９に進む。ステップＳ５９では、節電モードであるか否か判別する。判別結果がＹＥＳであれば、ステップＳ６９で節電モードを解除しスピーカ２６およびモニタ３２の電源供給を再開する。ステップＳ６１では、鑑賞者検出器４６によって着席した鑑賞者の特徴を抽出する。ステップＳ６３では、抽出した鑑賞者の特徴が注目鑑賞者の特徴と一致するか否か判別し、ＹＥＳであればステップＳ７１に進む。
【００４２】
図１２を参照して、ステップＳ７１では、自動記録が停止されているか否か判別する。ＹＥＳであれば、図５を参照して、ステップＳ７３で第１メニュー選択画面をモニタ３２に提示する。判別結果がＮＯであれば、ステップＳ７５で第２メニュー選択画面をモニタ３２に提示する。ステップＳ７７では、メニューを選択したか否か判別する。ＹＥＳであればステップＳ７９でそれぞれのメニューに対応する処理がされ、タスクを終了する。
【００４３】
以上の説明から分かるように、番組記録装置１０のチューナ１４は、放送番組を受信する。受信された放送番組の音声および映像は、スピーカ２６およびモニタ３２にそれぞれ出力される。また、受信された放送番組は、記録再生回路３６に記録される。鑑賞者検出器４６は、放送番組を鑑賞する鑑賞者がモニタ３２の前方範囲から外れたか否かを判別する(S21, S25)。判別結果が肯定的であるとき、記録再生回路３６は起動する(S29, S51)。
【００４４】
したがって、来客等により鑑賞者が番組記録装置１０の前から離れたときに、鑑賞していた放送番組が自動的に記録される。これによって、不在期間中の放送番組をあとで鑑賞できる。また、記録操作の一連の手間が省けて来客を待たせることもない。
【００４５】
なお、番組記録装置１０は、放送受信機と記録再生装置が一体になったものであるが、放送受信機と記録再生装置が別々であってもよい。記録した番組は、事前に設定した期間保存を行い、その後は自動的に消去するようにしてもよい。自動番組記録の条件として、放送番組のジャンルと注目鑑賞者の設定ジャンルが一致していることを前提としてもよい(S43, S45, S47, S49)。
【００４６】
また、この実施例では、鑑賞者の離籍／着席を検出する鑑賞者検出器を番組記録装置本体に内蔵するようにしたが、番組記録装置本体への内蔵に代えて、あるいは番組記録装置本体への内蔵とともに、鑑賞者検出器をリモートコントローラに内蔵するようにしてもよい。これによって、検出精度が向上する。
【００４７】
さらに、この実施例では、記録された番組の取り扱いを記録態様によって区別していないが、自動的に記録を開始した番組等に自動的にインデックスを付け、意図的に録画を開始した番組等と分けてタイトル一覧を表示するようにしてもよい。これによって、使い勝手が向上する。
【００４８】
また、この実施例では、記録された番組はいずれも、消去操作を行わない限り記録媒体に残るが、自動的に記録を開始した番組については、再生が完了したときに自動的に記録媒体から消去するようにしてもよい。これによって、使い勝手が向上する。
【図面の簡単な説明】
【００４９】
【図１】この発明の一実施例を示すブロック図である。
【図２】鑑賞者のジャンルリストの一例を示す図解図である。
【図３】処理が行われた時刻リストの一例を示す図解図である。
【図４】鑑賞者が着席および離席した時刻のリストの一例を示す図解図である。
【図５】席に戻ったときに提示されるメニューの一例を示す図解図である。
【図６】鑑賞者が着席するタイミングの一例を示す図解図である。
【図７】図１実施例の動作の一部を示すフロー図である。
【図８】図１実施例の動作の他の一部を示すフロー図である。
【図９】図１実施例の動作のその他の一部を示すフロー図である。
【図１０】鑑賞者が着席するタイミングの一例を示す図解図である。
【図１１】図１実施例の動作の一部を示すフロー図である。
【図１２】図１実施例の動作の他の一部を示すフロー図である。
【符号の説明】
【００５０】
１０  …  番組記録装置
１４  …  チューナ
１８  …  デマルチプレクサ
２０  …  ＡＶセレクタ
２４  …  Ｄ／Ａ変換器
２８  …  映像デコーダ
３０  …  ＮＴＳＣエンコーダ
３２  …  モニタ
３４  …  番組時刻情報取得回路
３６  …  記録再生回路
４４  …  ＣＰＵ
４６  …  鑑賞者検出器
４８  …  不揮発性メモリ
【図１】
2006074434.tif 000003
【図２】
2006074434.tif 000004
【図３】
2006074434.tif 000005
【図４】
2006074434.tif 000006
【図５】
2006074434.tif 000007
【図６】
2006074434.tif 000008
【図７】
2006074434.tif 000009
【図８】
2006074434.tif 000010
【図９】
2006074434.tif 000011
【図１０】
2006074434.tif 000012
【図１１】
2006074434.tif 000013
【図１２】
2006074434.tif 000014